(57)【要約】【課題】支柱とその支持部材を含む介護用リフト全体をコンパクトに分離し、容易に携帯して移動させられるようにする。【解決手段】支柱１は支柱下部２と支柱上部３とに分割され、支柱下部２と支柱上部３とは互いの抜き差し構造により連結及び分離可能であり、支柱下部２に、床面に沿う複数のベースバー４が支柱下部２と平行に折畳み可能に軸着され、支柱上部３に、昇降アーム９とその昇降駆動装置１０とが支柱１から分離可能に取り付けられている。【選択図】図１
2019141267.tif 000002
【特許請求の範囲】
【請求項１】
支柱（１）は支柱下部（２）と支柱上部（３）とに分割され、支柱下部（２）と支柱上部（３）とは互いの抜き差し構造により連結及び分離可能であり、
支柱下部（２）に、床面に沿う複数のベースバー（４）が支柱下部（２）と平行に折畳み可能に軸着され、
支柱上部（３）に、昇降アーム（９）とその昇降駆動装置（１０）とが支柱（１）から分離可能に取り付けられたことを特徴とする介護用リフト。
【請求項２】
支柱下部（２）から分離された支柱上部（３）の長さと、平行に折畳んだ支柱下部（２）及びベースバー（４）の長さとの差異が１０ｃｍ以下である請求項１記載の介護用リフト。
【請求項３】
支柱下部（２）から分離された支柱上部（３）の長さと、平行に折畳んだ支柱下部（２）及びベースバー（４）の長さが、共に８０〜１００ｃｍである請求項２記載の介護用リフト。
【請求項４】
支柱上部（３）は、上部本体（７）と、上部本体（７）の上部に回転可能に被せられた支柱可動部（８）とからなり、支柱可動部（８）に昇降アーム（９）と昇降駆動装置（１０）とが分離可能に取り付けられた請求項１、２又は３記載の介護用リフト。
【請求項５】
昇降駆動装置（１０）は直線的に伸縮するものであり、リンク部材（１１）の上部に昇降アーム（９）の基端部が回動可能に軸着され、リンク部材（１１）の下部に昇降駆動装置（１０）の基端部が回動可能に軸着され、昇降アーム（９）の中間部に昇降駆動装置（１０）の先端部が回動可能に軸着され、リンク部材（１１）が支柱可動部（８）に分離可能に取り付られた請求項４記載の介護用リフト。
【請求項６】
昇降アーム（９）の基端部の軸着位置よりも昇降駆動装置（１０）の基端部の軸着位置の方が支柱上部（３）から大きく離間するように、リンク部材（１１）が傾斜した状態で支柱可動部（８）に分離可能に取り付られた請求項５記載の介護用リフト。
【請求項７】
支柱（１）の全長が１２０〜１５０ｃｍである請求項６記載の介護用リフト。
【請求項８】
昇降アーム（９）の先端にはハンガー（１２）が取り付けられ、支柱上部（３）から分離されたリンク部材（１１）と昇降アーム（９）と昇降駆動装置（１０）とハンガー（１２）とが、支柱上部（３）の長さと１０ｃｍ以下の差異の長さにまとめられる請求項７記載の介護用リフト。
【発明の詳細な説明】
【技術分野】
【０００１】
本発明は、病人、怪我人、身体障害者、老人等の要介護者を吊り上げるための介護用リフトに関するものである。
【背景技術】
【０００２】
介護用リフトは、要介護者を、例えばベッドと車椅子との間で移したり、トイレに座らせたり、風呂に入れたりする等、色々な状況において使用される。
【０００３】
介護用リフトの基本構成は、支柱と、支柱を支持する支持部材（ベースバー、台枠、突張り棒等）と、支柱に傾動可能に取り付けられた昇降アームと、昇降アームを傾動させる昇降駆動装置とからなる。
【０００４】
本出願人は先に、特許文献１で、昇降アームとその昇降駆動装置とを支柱から分離し容易に携帯して移動できるようにした介護用リフトを提案し（特許文献１）、その介護用リフトは介護の現場で広く利用されている。
【先行技術文献】
【特許文献】
【０００５】
【特許文献１】特開平７−１４４００９号公報
【発明の概要】
【発明が解決しようとする課題】
【０００６】
しかし、支柱とその支持部材はサイズが大きいため、支持部材にキャスターが付いたものは床上を移動させることはできるが、携帯して移動させることは困難である。
【０００７】
特に、要介護者をベッドと車椅子との間で移すことができる介護用リフトは、ベッドの上方で要介護者を吊り上げる必要があり、昇降アームの位置を高くするために、支柱が長い。
【０００８】
そこで、本発明の目的は、支柱とその支持部材を含む介護用リフト全体をコンパクトに分離し、容易に携帯して移動させられるようにすることにある。
【課題を解決するための手段】
【０００９】
本発明の介護用リフトは、
支柱は支柱下部と支柱上部とに分割され、支柱下部と支柱上部とは互いの抜き差し構造により連結及び分離可能であり、
支柱下部に、床面に沿う複数のベースバーが支柱下部と平行に折畳み可能に軸着され、
支柱上部に、昇降アームとその昇降駆動装置とが支柱から分離可能に取り付けられたことを特徴とする介護用リフトである。
【００１０】
支柱下部から分離された支柱上部の長さと、平行に折畳んだ支柱下部及びベースバーの長さとの差異が１０ｃｍ以下であることが好ましく、５ｃｍ以下であることがより好ましい。携帯性が良いからである。
【００１１】
支柱下部から分離された支柱上部の長さと、平行に折畳んだ支柱下部及びベースバーの長さが、共に８０〜１００ｃｍであることがより好ましい。
【００１２】
支柱上部は、支柱上部本体と、支柱上部本体の上部に回転可能に被せられた支柱可動部とからなり、支柱可動部に昇降アームと昇降駆動装置とが分離可能に取り付けられた態様が好ましい。
【００１３】
昇降駆動装置は直線的に伸縮するものであり、リンク部材の上部に昇降アームの基端部が回動可能に軸着され、リンク部材の下部に昇降駆動装置の基端部が回動可能に軸着され、昇降アームの中間部に昇降駆動装置の先端部が回動可能に軸着され、リンク部材が支柱可動部に分離可能に取り付られた態様が好ましい
【００１４】
昇降アームの基端部の軸着位置よりも昇降駆動装置の基端部の軸着位置の方が支柱上部から大きく離間するように、リンク部材が傾斜した状態で支柱可動部に分離可能に取り付られた態様がより好ましい。この傾斜により、昇降アームの先端部を支柱の上端部よりも容易かつ顕著に高くすることができ、もって支柱の全長を短く抑えることができ、分離された支柱下部と支柱上部の携帯性が良くなる。
【００１５】
この支柱の全長が１２０〜１５０ｃｍであることが好ましい。
【００１６】
昇降アームの先端にはハンガーが取り付けられ、支柱上部から分離されたリンク部材と昇降アームと昇降駆動装置とハンガーとが、支柱上部の長さと１０ｃｍ以下の差異の長さにまとめられることが好ましい。
【発明の効果】
【００１７】
本発明によれば、支柱とその支持部材を含む介護用リフト全体をコンパクトに分離し、容易に携帯して移動させることができる。
【図面の簡単な説明】
【００１８】
【図１】図１は実施例の介護用リフトの側面図である（矢示の断面図を含む）。
【図２】図２は図１のＩＩ−ＩＩ断面図である。
【図３】図３は同介護用リフトを分離したときの側面図である。
【図４】図４(ａ)は平行に折畳んだ支柱下部及びベースバーの側面図、(ｂ)は支柱上部の側面図、(ｃ)はまとめられたリンク部材と昇降アームと昇降駆動装置とハンガーの側面図、（ｄ）は（ａ）の平面図である。
【発明を実施するための形態】
【００１９】
支柱１は支柱下部２と支柱上部３とに分割され、支柱下部２と支柱上部３とは互いの抜き差し構造により連結及び分離可能であり、支柱下部２に、床面に沿う複数のベースバー４が支柱下部２と平行に折畳み可能に軸着され、支柱上部３に、昇降アーム９とその昇降駆動装置１０とが支柱１から分離可能に取り付けられたことを特徴とする介護用リフトである。
【実施例】
【００２０】
図１〜図４に示す実施例の介護用リフトについて説明する。なお、本発明は実施例に限定されるものではなく、発明の趣旨を逸脱しない範囲で各部の形状、寸法、構成等を任意に変更して実施することもできる。
【００２１】
介護用リフトは、支柱１と、支柱を支持する支持部材としての床面に沿うベースバー４及びブレース５（筋交い）と、支柱１に傾動可能に取り付けられた昇降アーム９と、昇降アーム９を傾動させる昇降駆動装置１０と、昇降アーム９の先端に取り付けられたハンガー１２とを含み構成されている。
【００２２】
支柱１は、パイプ状の支柱下部２とパイプ状の支柱上部３とに分割形成され、支柱下部２と支柱上部３とは互いの抜き差し構造により連結及び分離可能である。本例では、支柱下部２の一部に支柱上部３の一部が挿入される。
【００２３】
ベースバー４は、支柱下部２に、支柱下部２と平行に折畳み可能に軸着されている。図２に示すように、ベースバー４は支柱のまわりに７０度の間隔で３本設けられている。
【００２４】
ブレース５は、上端が支柱下部２の中間部に回動可能に軸着され、下端が短管状のスライダ６に回動可能に軸着され、スライダ６はベースバー４に摺動可能に外嵌されている。
【００２５】
支柱上部３は、上部本体７と、上部本体７の上部に回転可能に被せられた支柱可動部８とからなり、支柱可動部８に昇降アーム９とその昇降駆動装置１０とが分離可能に取り付けられている。具体的には、次に延べるリンク部材１１に設けられたピン又は穴を、支柱可動部８に設けられた穴又はピンに斜め上方から差し込むことにより、昇降アーム９と昇降駆動装置１０は分離可能に取り付けられている。
【００２６】
昇降駆動装置１０は直線的に伸縮するものである。リンク部材１１の上部に昇降アーム９の基端部が回動可能に軸着され、リンク部材１１の下部に昇降駆動装置１０の基端部が回動可能に軸着され、昇降アーム９の中間部に昇降駆動装置１０の先端部が回動可能に軸着され、上記のとおりリンク部材１１が支柱可動部８に分離可能に取り付られている。
【００２７】
昇降アーム９の基端部の軸着位置よりも昇降駆動装置１０の基端部の軸着位置の方が支柱上部３から大きく離間するように、リンク部材１１が傾斜した状態で支柱可動部８に分離可能に取り付られている。この傾斜により、昇降アーム９の先端部を支柱１の上端部よりも容易かつ顕著に高くすることができ、もって支柱１の全長を短く抑えることができ、分離された支柱下部２と支柱上部３の携帯性が良くなる。
【００２８】
図１に示すように、支柱下部２と支柱上部３とを連結したときの支柱１の全長は１３０ｃｍである。
図４（ｂ）に示すように、支柱下部２から分離された支柱上部３の長さと、図４（ａ）に示すように、平行に折畳んだ支柱下部２及びベースバー４の長さは、共に９０ｃｍであり、差異は実質的にない。よって、携帯性が非常に良い。
【００２９】
昇降アーム９の先端には、要介護者を吊るスリングシート等を掛けるためのハンガー１２が取り付けられ、図４（ｃ）に示すように、支柱上部３から分離されたリンク部材１１と昇降アーム９と昇降駆動装置１０とハンガー１２とが、支柱上部３の長さと１０ｃｍ以下の差異の長さにまとめられるようになっている。よって、携帯性が非常に良い。
【００３０】
以上のように構成された実施例の介護用リフトは、支柱１が１３０ｃｍと短いにもかかわらず、図１に示すように、昇降アーム９の先端部を高く上昇させることができるので、要介護者をベッド１３と車椅子との間で移すことができる。昇降アーム９の先端の昇降ストロークは例えば６０ｃｍである。
【００３１】
介護用リフトを移動させるときには、図３に示すように、支柱上部３からリンク部材１１を昇降アーム９、昇降駆動装置１０及びハンガー１２とともに抜き外し、支柱下部２から支柱上部３を抜き外す。図３から図４（ａ）の変化で分かるように、スライダ６をスライドさせながら、支柱下部２及びベースバー４を平行に折畳む。また、図４（ｃ）に示すように、リンク部材１１と昇降アーム９と昇降駆動装置１０とハンガー１２とを畳んで上記長さにまとめる。こうして、介護用リフト全体をコンパクトに分離し、容易に携帯して移動させることができる。
【符号の説明】
【００３２】
１    支柱
２    支柱下部
３    支柱上部
４    ベースバー
５    ブレース
６    スライダ
７    上部本体
８    支柱可動部
９    昇降アーム
１０    昇降駆動装置
１１    リンク部材
１２    ハンガー
【図１】
2019141267.tif 000003
【図２】
2019141267.tif 000004
【図３】
2019141267.tif 000005
【図４】
2019141267.tif 000006